(57)【要約】      （修正有）【課題】限られた数の部品を備えながら、クラスプを完全に閉じることを保証する腕時計ベルトまたは衣服のベルトのためのクラスプを提供する。【解決手段】第１の展開アーム２は、ベルト板６に取り付けられた第１の端部４と、第２の展開アーム１６の第１の端部１４と枢動可能に連接する第２の端部１０とを備えている。第２の展開アーム１６の第２の端部２０では軸２２が横切り、軸２２を中心としてカバー２４が連結される。カバー２４には別のベルト板が取り付けられる。押しボタン３６ａ、３６ｂはカバー２４に枢動可能に取り付けられるボルト４２を駆動する。ボルト４２は、押しボタン３６ａ、３６ｂが手動で起動されていないときに、第１の展開アーム２に装着される第２のフック５０と協働して第２のフック５０を固定状態に保つ第１のフック４８を備える。第１のフック４８は弾性手段５２によって、第２のフック５０との係合状態を保つ。【選択図】図２
2014050685.tif 000002
【特許請求の範囲】
【請求項１】
互いに連結された少なくとも２つの展開アーム（２、１６）を備える腕時計用ベルトまたは衣服のベルトのためのクラスプであって、第１の展開アーム（２）は、ベルト板（６）に取り付けられる第１の端部（４）と、第２の展開アーム（１６）の第１の端部（１４）と枢動可能に連結された第２の端部（１０）とを備え、前記第２の展開アーム（１６）の第２の端部（２０）では軸（２２）が横切り、前記軸（２２）を中心としてカバー（２４）が連結され、前記カバー（２４）は第１および第２のフラップ（２６ａ、２６ｂ）を備え、前記カバー（２４）には別のベルト板が取り付けられ、前記クラスプ（１）は押しボタン締結システムも備え、少なくとも１つの押しボタン（３６ａ、３６ｂ）は、前記カバー（２４）に枢動可能に取り付けられるボルト（４２）を駆動し、前記ボルト（４２）は、前記押しボタン（３６ａ、３６ｂ）が手動で起動されていないときに、前記第１の展開アーム（２）に装着された第２のフック（５０）と係合して前記第２のフック（５０）を固定状態に保つ第１のフック（４８）を備え、前記第１のフック（４８）は弾性手段（５２）によって、前記第２のフック（５０）との係合状態を保つことを特徴とする、クラスプ。
【請求項２】
前記弾性手段（５２）は、Ｕ字形に形成され、２つの外部アーム（５８ａ、５８ｂ）を有するプレート（５４）の形状を呈し、前記２つの外部アーム（５８ａ、５８ｂ）は前記ボルト（４２）を押圧し、前記クラスプ（１）の前記閉鎖位置において、前記第１のフック（４８）を前記第２のフック（５０）との係合状態に保つことを特徴とする、請求項１に記載のクラスプ。
【請求項３】
前記押しボタン（３６ａ、３６ｂ）が起動されると、前記押しボタン（３６ａ、３６ｂ）は前記ボルト（４２）弾性手段（５２）の弾性に抗して枢動させ、それによって前記第１のフック（４８）は前記第２のフック（５０）との係合状態から解除されることを特徴とする、請求項１または２に記載のクラスプ。
【請求項４】
前記押しボタン（３６ａ、３６ｂ）が起動されると、前記押しボタン（３６ａ、３６ｂ）は、対応する前記ボルト（４２）の傾斜面（６４ａ、６４ｂ）に作用することを特徴とする、請求項３に記載のクラスプ。
【請求項５】
前記押しボタン（３６ａ、３６ｂ）が起動されると、前記ボルト（４２）はその前記傾斜面（６４ａ、６４ｂ）を介して、前記押しボタン（３６ａ、３６ｂ）に設けた傾斜面（４０ａ、４０ｂ）に沿って、摺動することを特徴とする、請求項４に記載のクラスプ。
【請求項６】
前記押しボタン（３６ａ、３６ｂ）は、前記クラスプ（１）の長手方向の軸線に対して横方向において前記ボルト（４２）に作用し、前記クラスプ（１）面において延在することを特徴とする、請求項１〜５のうちいずれか一項に記載のクラスプ。
【請求項７】
前記ボルト（４２）は、前記押しボタン（３６ａ、３６ｂ）の前記起動方向に平行に延在する蝶番（Ｃ）によって前記カバー（２４）に枢動可能に取り付けられていることを特徴とする、請求項６に記載のクラスプ。
【請求項８】
前記蝶番（Ｃ）は、２つのピン（４４ａ、４４ｂ）から形成され、前記２つのピン（４４ａ、４４ｂ）は前記カバー（２４）の前記フラップ（２６ａ、２６ｂ）に設けられた穴（４６ａ、４６ｂ）を貫通することを特徴とする、請求項７に記載のクラスプ。
【請求項９】
前記第２のフック（５０）は、前記展開アーム（２）の前記第１の端部（４）の側に、前記第１の展開アーム（２）の前記第２の端部（１０）に対向して設けられ、前記第１の展開アーム（２）の前記第２の端部（１０）は、前記第２の展開アーム（１６）の前記第１の端部（１４）に枢動可能に連結していることを特徴とする、請求項１〜８のうちいずれか一項に記載のクラスプ。
【発明の詳細な説明】
【技術分野】
【０００１】
本発明は、腕時計用バンドまたはベルトまたは衣服のベルト用のクラスプに関する。
【背景技術】
【０００２】
本出願人による特許文献１は、互いに連接する２つの展開アームを備えた腕時計用ベルトのためのクラスプを開示している。第１の展開アームの第１の端部はベルトの第１の板に取り付けられ、第１の展開アームの第２の端部は第２の展開アームの第１の端部に枢動可能に連結している。第２の展開アームの第２の端部では軸が横切り、この軸を中心としてカバーは枢動可能に連結している。カバーは第１および第２のフラップを備え、第２のベルト板が取り付けられている。最後に、クラスプは第１および第２のアームを固定および固定を解除するためのレバー締結システムを含んでいる。前述の特許文献１に記載されている発明によれば、レバーはカバーに第１の蝶番を介して枢動可能に取り付けられている。レバーはロックまたはボルトを制御し、ロックまたはボルトも、第１の蝶番とは異なる第２の蝶番を介してカバーに枢動可能に取り付けられている。ボルトはレバーによって駆動し、レバーが締結位置に押されるときに、第１の展開アームに装着されたフックと協働してレバーを固定するように配置されている。弾性手段は、レバーが手動で起動されていないときに、レバーを下側で保持し、ボルトのフックとの係合状態を保持するように構成されている。
【０００３】
簡単に前述した腕時計用ベルトのクラスプは、特に、カバー上のレバーおよびボルトの２つの異なる軸に沿って枢動する二重蝶番のために、構造がかなり複雑で操作も面倒である。このため、より小型で、確実に動作するための少ない部品からなる腕時計用ベルトのクラスプが望まれている。
【先行技術文献】
【特許文献】
【０００４】
【特許文献１】欧州特許出願第１１１５９０７４．１号
【発明の概要】
【０００５】
本発明の目的は、限られた数の部品を備えながら、クラスプを完全に閉じることを保証する腕時計用ベルトまたは衣服のベルトのためのクラスプを提供することによって、上記の期待に応えるところにある。
【０００６】
本発明は、互いに連結された少なくとも２つの展開アームを備えた腕時計用ベルトまたは衣服のベルトのためのクラスプに関する。第１の展開アームは、ベルト板に取り付けられる第１の端部と、第２の展開アームの第１の端部と枢動可能に連結された第２の端部とを備える。第２の展開アームの第２の端部では軸が横切り、この軸を回転中心としてカバーが連結される。カバーは第１および第２のフラップを備え、他のベルト板が取り付けられる。クラスプは押しボタン締結システムも備え、少なくとも１つの押しボタンはカバーに枢動可能に取り付けられるボルトを駆動することを特徴とする。前記ボルトは、押しボタンが手動で起動されていないときに、第１の展開アームに装着された第２のフックと協働して第２のフックを固定状態に保つ第１のフックを備えている。この第１のフックは弾性手段によって、第２のフックとの係合状態を保つ。
【０００７】
これらの特徴によって、本発明は、簡単かつ確実に動作するクラスプを提供する。実際に、従来技術では爪を使ってレバーを押し上げなければならなかったが、単に押しボタンを押すだけでクラスプを解放することができる。このように、本発明によるクラスプは、はるかに操作が分かりやすい。さらに、レバーを爪で押し上げることは、レバーのスナップ力が強い場合は問題となることもある。同様に、カバー上のレバーおよびボルトの２つの異なる軸に二重蝶番システムがないことによって、はるかに小型のクラスプが提供される。最後に、ボルトの製造に関連する素材の数が限られているため、ボルトの動作がはるかに確実になる。
【０００８】
本発明の補完的な特徴によれば、押しボタンが起動されると、押しボタンはボルトを弾性手段の弾性力に対して枢動させ、それによって第１のフックは第２のフックとの係合状態から解除される。
【０００９】
本発明の別の特徴によれば、押しボタンを起動すると、押しボタンはボルトの対応する傾斜面に作用する。押しボタンは、傾斜面を備え、この傾斜面に沿ってボルトの傾斜面は摺動する。
【００１０】
本発明のさらに別の特徴によれば、ボルトは押しボタンの起動方向に平行に延在する蝶番によってカバーに枢動可能に取り付けられている。
【００１１】
このように、押しボタンはボルトの枢軸に対して平行な方向にボルトに作用するため、本発明のクラスプの小型化に寄与する。
【００１２】
本発明のその他の特徴および利点は、本発明によるクラスプの実施形態の詳細な説明において、より明らかになるであろう。本実施例は単に添付図を参照して、非限定的な例示として示すものである。
【図面の簡単な説明】
【００１３】
【図１】図１は、展開した状態を示す本発明のクラスプの斜視図である。
【図２】図２は、図１に例示するクラスプの分解斜視図である。
【図３】図３は、閉鎖位置における本発明のクラスプの押しボタンを示す横断面図である。
【図４】図４は、閉鎖位置における本発明のクラスプの長手方向断面図である。
【図５】図５は、解放位置における本発明のクラスプの押しボタンを示す横断面図である。
【図６】図６は、解放位置における本発明のクラスプの長手方向断面図である。
【図７】図７は、衣服のベルトに用いたクラスプの斜視図である。
【発明を実施するための形態】
【００１４】
本発明は、腕時計用ベルトまたは衣服のベルトのためのクラスプを提供することからなる一般的な創意から発展する。腕時計用ベルトまたは衣服のベルトのためのクラスプは、カバーに枢動的に取り付けられるボルトを備え、展開アームの自由端に設けた第２のフックと係合する第１のフックを備えている。第２のフックを第１のフックとの係合から解除するためには、少なくとも１つ、好ましくは２つの押しボタンを設ける。この押しボタンは、クラスプの長手方向の軸線に対して垂直な方向でボルトに作用し、ボルトを弾性手段の復元力に対して枢動させる。これらの特徴の結果として、クラスプを開くために、ユーザは１または複数の押しボタンを押すだけでよいため、本発明のクラスプは操作が簡単で分かりやすい。さらに、従来技術と比較するとレバーがない。レバーは、特にスナップ力を再生可能に校正するときに直面する困難さによって、常に操作が難しくなる。そこで、本発明によるクラスプは部品数を減らし、より確実に動作する。最後に、押しボタンはクラスプ面に延在する方向においてボルトに作用するため、さらに小型なクラスプとなる。
【００１５】
図１および２は、それぞれ本発明の腕時計用ベルトまたは衣服のベルトのためのクラスプの斜視図および分解斜視図であり様々な構成部品を示す。符号１によって全体を示すクラスプは第１の展開アーム２を含む。第１の展開アームの第１の端部４は、本実施例では第１のリンクで表すベルト板６に軸８を介して取り付けられている。第１の展開アーム２の第２の端部１０は、第２の展開アーム１６の第１の端部１４の軸１２によって連結されている。第２の展開アーム１６は、２つの側部部材１８ａおよび１８ｂから形成され、クラスプ１が閉鎖位置にあるとき、側部部材１８ａおよび１８ｂの間に前記第１の展開アーム２が挿入される。第２の展開アーム１６の第２の端部２０では軸２２が横切っている。この軸２２を中心として、第１および第２のフラップ２６ａおよび２６ｂを備えるカバー２４が連結されている。図１および２に図示しない別のベルト板はカバー２４に取り付けられ、図の右側でカバー２４から突出する。従来の様式で、軸８は刻み目２８を備え、ベルト板６の第１のリンクに設けたアーム間に狭さく部分３４を備えた管３２によって保持される。図１および２では、本発明のクラスプ１が、第１および第２の展開アーム２および１６を固定および固定解除するための押しボタン締結システムを含むことを示している。
【００１６】
次に、本発明の締結システムを説明する。本発明の締結システムは、少なくとも１つ、好ましくは２つの同一の押しボタン３６ａおよび３６ｂを含む。これら２つの押しボタン３６ａおよび３６ｂは互いに対向するように配置され、カバー２４のフラップ２６ａおよび２６ｂに設けた２つの貫通穴３８ａおよび３８ｂ内に収容される。２つの押しボタン３６ａおよび３６ｂは、図２の矢印で示す起動方向ＡおよびＢにそれぞれ作用する。起動方向ＡおよびＢは、クラスプ１の平面においてクラスプ１の長手方向の軸線Ｘ−Ｘに垂直に延在していることに留意されたい。図２を見て判るように、押しボタン３６ａおよび３６ｂはそれぞれ傾斜面４０ａおよび４０ｂを有することに留意されたい。この傾斜面４０ａおよび４０ｂの役割については、後で説明する。
【００１７】
本発明によれば、押しボタン３６ａおよび３６ｂは、カバー２４に蝶番Ｃによって枢動可能に取り付けられたボルト４２を制御する。蝶番Ｃは、押しボタン３６ａおよび３６ｂの起動方向に平行して延在し、２つの小さなピン４４ａおよび４４ｂから形成されている。これら２つのピン４４ａおよび４４ｂは、カバー２４のフラップ２６ａおよび２６ｂに設けた穴４６ａおよび４６ｂを貫通する。ボルト４２は、第２のフック５０と協働するように形成された第１のフック４８を含む。第２のフック５０は、第１の展開アーム２の第１の端部４側に設けられ、クラスプ１が閉鎖位置にあるとき、クラスプ１を固定するように機能する。最後に、図２では、押しボタン３６ａおよび３６ｂが手動で起動されていないときに、クラスプ１が第１のフック４８と第２のフック５０との係合を維持するように配置された弾性手段５２を備えていることを示す。
【００１８】
より具体的には、図２に示すように、弾性手段５２はカバー２４に２つのねじ５６ａおよび５６ｂによって固定されるプレート５４の形状を採っている。このプレート５４はＵ字形に形成され、あそびがないようにわずかに予め付勢されている２つの外部アーム５８ａおよび５８ｂを有する。この２つの外部アーム５８ａおよび５８ｂはボルト４２を押圧し、クラスプ１が閉鎖位置にあるとき、第１のフック４８と第２のフック５０との係合状態を維持する。
【００１９】
本発明によれば、ボルト４２は中央部分６０を含む。中央部分６０には、第１のフック４８が取り付けられ、側面に２つの端部部分６２ａおよび６２ｂが設けられている。この２つの端部部分６２ａおよび６２ｂはそれぞれ傾斜面６４ａおよび６４ｂを有し、この傾斜面に沿って、押しボタン３６ａおよび３６ｂの傾斜面４０ａおよび４０ｂは摺動する。２つの端部部分６２ａおよび６２ｂはボルト４２の中央部分６０から２つの凹部６６ａおよび６６ｂによって分離している。２つの凹部６６ａおよび６６ｂには、前記プレート５４の外部アーム５８ａおよび５８ｂが係入している。クラスプ１が閉鎖位置にあるとき（特に図３および４参照）、プレート５４の外部アーム５８ａおよび５８ｂは、その弾性によりボルト４２を連結方向Ｃの周りを時計回りに枢動させ、それによって第１のフック４８と第２のフック５０との係合状態を保つ。ユーザがクラスプ１の解放を望むとき、ユーザは単に両方の押しボタン３６ａおよび３６ｂを矢印ＡおよびＢの方向に同時に押すだけでよい。ボタンを押すと、ボルト４２の傾斜面６４ａおよび６４ｂは押しボタン３６ａおよび３６ｂの傾斜面４０ａおよび４０ｂに沿って摺動し、図２の矢印で示すように、ボルト４２は連接方向Ｃの周りを反時計周りに枢動する。
【００２０】
そして、ボルト４２が担持する第１のフック４８を、第１の展開アーム２が担持する第２のフック５０との係合状態から解除する。これによって、２つの展開アーム２および１６は展開する（特に図５および６参照）。次に、クラスプ１を解放することが可能になる。２つの展開アーム２および１６が再び互いの上に折りたたまれ、ユーザが押しボタン３６ａおよび３６ｂを押すことをやめると、プレート５４の外部アーム５８ａおよび５８ｂは、再びその弾性により、ボルト４２を連接方向Ｃの周りを時計回りに枢動させるため、第１のフック４８は再び第２のフック５０と係合する。このようにしてクラスプは再び閉鎖される。
【００２１】
言うまでもないが、本発明は以上述べてきた実施形態に限定されるものではなく、当業者は、添付の特許請求の範囲で規定する本発明の範囲から逸脱することなく、様々な単純な変更および変形をすることが可能である。具体的には、本発明によるクラスプ１は、図７に示すように衣服のベルト６８にも用いてもよい。さらに、本発明のクラスプ１は、ボルト４２の２つの傾斜面６４ａおよび６４ｂに作用する２つの押しボタン３６ａおよび３６ｂを備えるように記載した。言うまでもないが、本発明の簡略化した実施形態では、単一の押しボタンがボルトの対応する傾斜面に作用することもありえる。
【図１】
2014050685.tif 000003
【図２】
2014050685.tif 000004
【図３】
2014050685.tif 000005
【図４】
2014050685.tif 000006
【図５】
2014050685.tif 000007
【図６】
2014050685.tif 000008
【図７】
2014050685.tif 000009